(57)【要約】本発明は、キャンバに代えてロッカー要素を組み入れたスノーボードである。【選択図】図６
2010525888.tif 000002
【特許請求の範囲】
【請求項１】
スノーボードにおいて、
ノーズ部分と、テール部分と、ベース面と、トップ面と、ノーズ中間区間とテール中間区間の間を伸張している中央区間と、一足のブーツを前記両中間区間に取り付けるための前記トップ面上の一対の取り付け領域と、を備えており、前記中央区間は下向きに弓なりになっており、前記両中間区間は平面状になっており、これにより前記それぞれの中間区間は、使用中は乗雪面に向けて下向きに撓み、荷重を取り除く操作が行われると上方に動く、スノーボード。
【請求項２】
スノーボードにおいて、
トップ面と、ボトム面と、前方部と、後方部と、前記トップ面と前記ボトム面をつなぐ一対のエッジ面と、前記トップ面の前方部と後方部に向かうバインディング取り付け領域と、を備えており、前記スノーボードは、前記両バインディング取り付け領域の間を伸張する下向きに湾曲した部分を含んでいる、スノーボード。
【請求項３】
スノーボードにおいて、
エッジと、一対のバインディング取り付け領域を含んでいる上面と、を含んでおり、前記両バインディング取り付け領域の間に逆キャンバが伸張している、スノーボード。
【請求項４】
更に、各エッジに沿って１つ又はそれ以上の波状部を含んでいる、請求項３に記載のスノーボード。
【発明の詳細な説明】
【技術分野】
【０００１】
本発明は、スノーボードに関し、特に、雪上を滑走する際に滑走者が両足をボード上に置いた状態で乗ることを意図した単一のボードであって、バインディングを取り付けるための領域と領域の間の部分が、上向きの湾曲部又はロッカーを有していることを特徴とするスノーボードに関する。
【背景技術】
【０００２】
スノーボードは、スキーから進化したスポーツであり、そのため、関係する技術もスキーから派生した。スノーボードは、初期にはスキー製造業者の影響を受け、初期のスノーボードの設計者の殆どは、スキー産業で認められている英知を借用した。その結果、今日、スキーとスノーボードの間には、スキーもスノーボードも共に雪上を移動するように設計されていることから、多くの類似性が存在する。スキーとスノーボードは共に、基本的に同じやり方で組み合わされた基本的に同じ材料を使用している。両者は共に、全面木製の構造から出発し、その後、合成材料、即ち、ガラス繊維や超高分子量ポリエチレンを、単独で使用したもの又は木製のコアに重ね合わせて鋼製エッジ並びにプラスチック製のトップ及び側壁と組み合わせたものが導入された。製造技法は、本質的には変化せずそのままに、スキーからスノーボードへと伝承された。スキーと先行技術によるスノーボードの間の類似性は、本発明の観点から重要である。
【発明の概要】
【発明が解決しようとする課題】
【０００３】
本発明の目的は、スノーボードの操作性を大幅に改善することである。
【課題を解決するための手段】
【０００４】
キャンバを無くし、それをロッカーに置き換えるという概念によって、スノーボードの操作性が大幅に改善される。
【図面の簡単な説明】
【０００５】
【図１】先行技術によるスキーの誇張した立面図である。
【図２】先行技術によるスノーボードの誇張した立面図である。
【図３】異なる先行技術によるスノーボードの誇張した立面図である。
【図４】本発明の誇張した立面図である。
【図５】本発明の平面図である。
【図６】本発明の第２の実施形態の誇張した立面図である。
【図７】本発明の立面図である。
【図８】本発明のエッジを描いている部分断面図である。
【発明を実施するための形態】
【０００６】
図１は、先行技術のスキー及び現在のスキーに用いられている、キャンバという概念、即ち、スキーが上向きにアーチ状になっていることを示している。図示の様に、スキー２は、側面８でつながれたトップ４とベース６を有している。長手方向に見ると、スキー２は、ノーズ１０と、中央区間１２と、テール１４を備えている。ノーズ１０は、スキーを雪面上で前進滑走させ易くするために、上に反り返っている。ノーズ１０が平坦であったなら雪の中へ突っ込んで滑走者は転倒してしまうはずである。テール１４の端部は、スキーをこの方向へ滑走させることを意図していないため、基本的に平坦である。スキー２の中央区間１２は上向きにアーチ状になって、キャンバ１６を形成している。キャンバの雪面１８より上の最大高さは図１ではかなり誇張されているが、キャンバ１６のせいで、脚部１０は、通常、ベース６の２つの区域２０と２２のみに沿って雪面１８上に載っている。キャンバ１６は、スキー２に或る一定量の前後方向の可撓性を持たせて、滑走者が、スキーが雪面１８に接する感触を体感し易くしている。キャンバ１６は、滑走者が体重を移動させてエッジ８に掛かる荷重を加減しスキーの撓みを変えることによってスキーを操縦する場合にも重要である。最後に、キャンバ１６が付いているので、スキー２は板ばねの様に見え、その様に働き、つまり、滑走者がジャンプしたり、着地したり、でこぼこした地形を横切る際に不可欠なエネルギーの蓄積と放出を行えるようにする。
【０００７】
周知の様に、図１にブーツ２１で表示されている足は、片方ずつ、各スキー２のほぼ中央に支持される。而して、スキー２に加えられる力の入力部は、たった１つ、即ちブーツ２１を介する以外に無い。単一のキャンバを設けることで、それら力をスキー内で全体に分散させてスキーと雪の相互作用を引き出すという手法は単純且つ直接的である。結果として、滑走者によって供給される力に対するスキーの応答は、予測可能であり、従って、制御可能で再現可能である。体重を均衡に分配すると均等な圧力が乗雪区域２０、２２に掛かり、前方に移動させると、体重の殆どがノーズ１０に隣接する弓状の乗雪区域２０に掛かり、後方に体重を移動させると、体重の殆どがテール１４に隣接する平坦な乗雪区域２２に掛かる。スキーの習得過程の大部分は、どの様な体重移動をすると、スキーがどの様に応答することになるかを習得することから成るとは言え、この様な体重移動のそれぞれが、スキーから異なる応答を引き出す。各スキーには、単一のキャンバに作用する単一の入力部しか無いため、どうやってスキーを制御するかを習得するのは比較的簡単である。
【０００８】
図２は、先行技術によるスノーボードがスキーの設計上の特徴をどの様に取り入れているかを示している。スノーボード３０は、トップ３２と、ベース３４と、側面３６を有している。長手方向に見ると、スノーボード３０は、ノーズ３８と、中央区間４０と、テール４２を備えており、スノーボードを雪面上でどちらの方向にも滑走させ易くするために、ノーズ３８とテール４２は共に上に反り返っている。スノーボード３０は、雪の上を前進滑走させるように意図されてはいるが、時として、実際に後ろ向きに滑走させる場合も確かにあることが認識されている。スノーボードを保護するために、テール４２も上に反り返っている。中には、スキー２の様に、平坦なテールを有するスノーボードもあるが、それらは少数派であるので図示していない。スキー２の様に、スノーボード３０の中央区間４０は、単一の中央に位置するキャンバ４４によって上向きのアーチ状を呈している。図１と同じく、図２でも、キャンバ４４の雪面４６より上の最大高さはかなり誇張されている。キャンバ４４のせいで、スノーボード３０は、通常、ベース３４の２つの弓状の乗雪区域４８、５０に沿って雪面４６に触れているだけである。キャンバ４４は、正にキャンバ１６がスキー２にとってそうである様に、スノーボード３０にとっても、スノーボード３０に前後方向の可撓性を持たせて、雪に対するより優れた体感性、滑走者の体重移動によるスノーボードのより優れた制御性、及び有効な衝撃吸収性を提供できるようにする上で必要であると考えられている。
【０００９】
トップ４に単一のブーツ２０が取り付けられるスキー２とは異なり、一対のブーツ５２、５４が、スノーボード３０のトップ３２の２か所に拡がる取り付け領域５６、５８に取り付けられる。当技術では周知の様に、各ブーツは、トップ３２の中に埋め込まれた雌ねじの切られたインサートに螺合式に取り付けられているバインディングで固定される。
【００１０】
図２の先行技術の問題の幾つかを軽減するための試みで、トップを６２、ボトムを６４、側面を６６とするスノーボード６０が考案された。このボードは、更に、前端部６８と、後端部７０と、中央部分７２を含んでいる。このスノーボードは、中央７２と前方部分６８又は後方部分７０それぞれとの間に、２つのキャンバ７４、７６を含んでいることに注目されたい。而して、ブーツ７８、８０をキャンバ７４、７６の真上に置くと、スノーボードは、理論上、下向きの圧力がブーツ毎にキャンバに掛かり、ボードを下向きに撓ませ、同様に、雪面８８との３つの接点８２、８４、８６ができるという点で、図のスキーによく似た応答をする。
【００１１】
これより、本発明を示している図４と図６を参照してゆくが、図中、共通の要素を特定するのに同じ符号を使用する。図１から図３と同じく、ボードの輪郭は、先行技術との相違をより明確に示すために誇張されている。スノーボード１００は、トップ１０２と、ボトム１０４と、側面１０６を有し、前方部１０８と、中央部分１１０と、後部又は後方部１１２を有している。以前の概念並びに先行技術とは対照的に、本発明のスノーボードは、キャンバを含まず、その代わりに、下向きに張り出しているロッカー１１４を含んでおり、ロッカーは、図４ではバインディング固定領域の最も内側の端１１６まで伸張し、図６ではバインディング固定領域の最も外側の端１１８まで伸張しているが、ロッカー部分の正確な長さは本発明の定義に関わるものではなく、キャンバを無くし、それをロッカーに置き換えるという概念によって、ターンを刻む時に、柔らかい雪であろうと、硬く押し固められた雪であろうと、氷であろうと、エッジのより多くの部分を雪の支持に利用できるようになり、より制御性高く曲がることができるようになるという点において、スノーボードの操作性が大幅に改善されるということを理解頂きたい。更に、スノーボードから荷重が取り除かれると、両端部部分は上に跳ね上がるので、エッジを引っかけ転倒に至る可能性が大幅に減る。
【００１２】
図５で確認できるように、スノーボード１００は、符号１１６と１１８の間に複数の既設の事前に螺子の切られた穴を含んでおり、同部分を、以下、バインディングをボードに固定するためのバインディング取り付け領域と呼ぶ。
【００１３】
また、本図では、側面１１４は、共通の譲受人を有する同時係属出願第１０／９６６，１２９号に開示されている様に波状であることに注目されたい。
ロッカーと波状のエッジの組合せによって、応答性により優れたスノーボードがもたらされるものと理解頂きたい。
【００１４】
図７は、本発明のスノーボードを誇張されていない立面図に示している。
図８は、トップ１０２とボトム１０４の間を伸張するスノーボードのエッジ１０６が、トップとボトムに対して垂直にはなっておらず、実際に、外側へボトムに向けて刃先が伸びるように勾配が付けられていることを示している。
【符号の説明】
【００１５】
２  スキー
４  スキーのトップ
６  スキーのベース
８  スキーの側面、エッジ
１０  スキーのノーズ
１２  スキーの中央区間
１４  スキーのテール
１６、４４、７４、７６  キャンバ
１８、４６、８８  雪面
２０、２２、４８、５０、８２、８４、８６  乗雪区域、雪面との接点
２１、５２、５４、７８、８９  ブーツ
３０、６０  先行技術のスノーボード
１００  本発明のスノーボード
３２、６２、１０２  スノーボードのトップ
３４、６４、１０４  スノーボードのベース、ボトム
３６、６６、１０６  スノーボードの側面
３８、６８、１０８  スノーボードのノーズ、前端部、前方部
４０、７２、１１０  スノーボードの中央区間、中央部分
４２、７０、１１２  スノーボードのテール、後端部、後方部
５６、５８  バインディング取り付け領域
１０６  エッジ
１１４  ロッカー
１１６  バインディング固定領域の最も内側の端
１１８  バインディング固定領域の最も外側の端
【図１】
2010525888.tif 000003
【図２】
2010525888.tif 000004
【図３】
2010525888.tif 000005
【図４】
2010525888.tif 000006
【図５】
2010525888.tif 000007
【図６】
2010525888.tif 000008
【図７】
2010525888.tif 000009
【図８】
2010525888.tif 000010
【国際調査報告】
2010525888.tif 000011